(57)【要約】【課題】複数の室内機と室外機との冷媒配管接続確認を短時間に精度良く行うことのできるマルチ形空気調和装置を提供すること。【解決手段】圧縮機１２、室外熱交換器、四方弁１７、及び膨張弁１３、１４を有する室外機３と、送風用のファン、室内熱交換器１０、１１、前記室内熱交換器１０、１１の吸い込み温度を検出する吸い込み温度センサ７、９を有する複数の室内機１、２とを冷媒配管４、５で接続するマルチ形空気調和装置において、前記吸い込み温度センサ７、９が検出する吸い込み温度の初期値と、所定時間後の吸い込み温度の所定値との温度差が、一定値以上であると前記複数の室内機１、２と前記室外機３とが正しく接続されていると判定し、一定値未満であると前記複数の室内機１、２と前記室外機３とが正しく接続されていないと判定する、接続判定手段を設けた。【選択図】図２
2014074533.tif 000002
【特許請求の範囲】
【請求項１】
圧縮機、室外熱交換器、四方弁、及び流量制御膨張弁を有する室外機と、送風用のファン、室内熱交換器、前記室内熱交換器の吸い込み温度を検出する吸い込み温度センサを有する複数の室内機とを冷媒配管で接続するマルチ形空気調和装置において、前記吸い込み温度センサが検出する吸い込み温度の初期値と、所定時間後の吸い込み温度の所定値との温度差が、一定値以上であると前記複数の室内機と前記室外機とが正しく接続されていると判定し、一定値未満であると前記複数の室内機と前記室外機とが正しく接続されていないと判定する、接続判定手段を設けたことを特徴とするマルチ形空気調和装置。
【請求項２】
前記流量制御膨張弁の近傍配管温度を検出する膨張弁近傍配管温度センサを備え、前記膨張弁近傍配管温度センサが検出する膨張弁近傍配管温度の初期値と、所定時間後の膨張弁近傍配管温度の所定値との温度差が、一定値以上であると前記複数の室内機と前記室外機とが正しく接続されていると判定し、一定値未満であると前記複数の室内機と前記室外機とが正しく接続されていないと判定する、接続判定手段を設けたことを特徴とするマルチ形空気調和装置。
【発明の詳細な説明】
【技術分野】
【０００１】
本発明は、室内機が正しく接続されているかどうかの接続判定をする制御手段を設けたマルチ形空気調和装置に関するものである。
【背景技術】
【０００２】
従来、マルチ形空気調和装置は、複数台の室内機と室外機とで構成されている（例えば、特許文献１参照）。
【０００３】
図１は、従来のマルチ形空気調和装置のブロック図である。
【０００４】
Ａ室内機１は、室外機３と冷媒配管４で接続されている。Ａ室内機１には、室内熱交換器温度センサ６、吸い込み温度センサ７が設けられている。
【０００５】
また、Ｂ室内機２も、室外機３と冷媒配管５で接続されている。Ｂ室内機２には、室内熱交換器温度センサ８、吸い込み温度センサ９が設けられている。
【０００６】
室外機３は、Ａ室内機１およびＢ室内機２との間で、冷媒配管４および冷媒配管５により冷媒を循環させている。室外機３は、圧縮機１２により冷媒を循環させるが、Ａ室内機１に使用する膨張弁１３、Ｂ室内機２に使用する膨張弁１４により冷媒を分配する構成をとっている。
【先行技術文献】
【特許文献】
【０００７】
【特許文献１】特開平８−２１９６００号公報
【発明の概要】
【発明が解決しようとする課題】
【０００８】
しかしながら、前記従来の構成では、マルチ形空気調和装置を据え付け工事終了後に、室外機３と接続するＡ室内機１、Ｂ室内機２において、Ａ室内機１と接続する冷媒配管４、そしてＢ室内機２と接続する冷媒配管５とが正しく接続されているかどうかを確認しなければいけなかった。
【０００９】
例えば、Ａ室内機１に冷媒配管５を接続し、Ｂ室内機２に冷媒配管４を接続する場合があるので接続確認を行う必要がある。その場合、Ａ室内機１、Ｂ室内機２を順番に冷房運転を行い、それぞれの室内熱交換器温度センサ６、８が検出する温度が低下しているかを確認し、室内機と室外機が正しく接続されているかを確認する。
【００１０】
しかしながら、室内熱交換器温度センサ６、８の温度低下を検出するのに時間がかかったり、誤検出するという課題を有していた。
【００１１】
本発明は、前記従来の課題を解決するもので、複数の室内機と室外機との冷媒配管接続確認を短時間に精度良く行うことのできるマルチ形空気調和装置を提供することを目的とする。
【課題を解決するための手段】
【００１２】
前記従来の課題を解決するために、本発明のマルチ形空気調和装置は、圧縮機、室外熱交換器、四方弁、及び流量制御膨張弁を有する室外機と、送風用のファン、室内熱交換器
、前記室内熱交換器の吸い込み温度を検出する吸い込み温度センサを有する複数の室内機とを冷媒配管で接続するマルチ形空気調和装置において、前記吸い込み温度センサが検出する吸い込み温度の初期値と、所定時間後の吸い込み温度の所定値との温度差が、一定値以上であると前記複数の室内機と前記室外機とが正しく接続されていると判定し、一定値未満であると前記複数の室内機と前記室外機とが正しく接続されていないと判定する、接続判定手段を設けたものである。
【００１３】
これによって、複数の室内機と室外機とを取り付けたマルチ形空気調和装置において、据え付け工事終了後にそれぞれの室内機と冷媒配管が正しく取り付けられているかを判定する場合に、室内機の吸い込み温度センサを使用することにより、室内機の雰囲気温度の変化を少なくし、冷媒の温度変化を精度良く短時間に判定することができる。
【発明の効果】
【００１４】
本発明は、複数の室内機と室外機を取り付けたマルチ形空気調和装置において、据え付け工事終了後にそれぞれの室内機と冷媒配管が正しく取り付けられているかを判定する場合に、室内機の吸い込み温度センサを使用することにより、短時間に精度良く判定することができる。
【図面の簡単な説明】
【００１５】
【図１】従来および本発明の実施の形態におけるマルチ形空気調和装置のブロック図
【図２】本発明の実施の形態における室内機内の温度センサの温度変化を示すグラフ
【図３】本発明の実施の形態における室外機内の温度センサの温度変化を示すグラフ
【発明を実施するための形態】
【００１６】
第１の発明は、圧縮機、室外熱交換器、四方弁、及び流量制御膨張弁を有する室外機と、送風用のファン、室内熱交換器、前記室内熱交換器の吸い込み温度を検出する吸い込み温度センサを有する複数の室内機とを冷媒配管で接続するマルチ形空気調和装置において、前記吸い込み温度センサが検出する吸い込み温度の初期値と、所定時間後の吸い込み温度の所定値との温度差が、一定値以上であると前記複数の室内機と前記室外機とが正しく接続されていると判定し、一定値未満であると前記複数の室内機と前記室外機とが正しく接続されていないと判定する、接続判定手段を設けたことにより、据え付け工事終了後にそれぞれの室内機と冷媒配管が正しく取り付けられているかを判定する場合に、室内機の吸い込み温度センサを使用することにより、室内機の雰囲気温度の変化を少なくし、冷媒の温度変化を精度良く短時間に判定することができる。
【００１７】
第２の発明は、前記流量制御膨張弁の近傍配管温度を検出する膨張弁近傍配管温度センサを備え、前記膨張弁近傍配管温度センサが検出する膨張弁近傍配管温度の初期値と、所定時間後の膨張弁近傍配管温度の所定値との温度差が、一定値以上であると前記複数の室内機と前記室外機とが正しく接続されていると判定し、一定値未満であると前記複数の室内機と前記室外機とが正しく接続されていないと判定する、接続判定手段を設けたことにより、据え付け工事終了後にそれぞれの室内機と冷媒配管が正しく取り付けられているかを判定する場合に、膨張弁近傍配管温度センサを使用することにより、室内機の雰囲気温度の変化を少なくし、冷媒の温度変化を精度良く短時間に判定することができる。
【００１８】
以下、本発明の実施の形態について、図面を参照しながら説明する。なお、この実施の形態によって本発明が限定されるものではない。
【００１９】
（実施の形態１）
図１は、本発明の実施の形態におけるマルチ形空気調和装置のブロック図である（従来の実施の形態と同じである）。冷房時は、圧縮機１２から吐出された冷媒は、室外機３か
らＡ室内機１へは、膨張弁１３、冷媒配管４、室内熱交換器１０、四方弁１７を通り圧縮機１２へと戻る。一方、Ｂ室内機２へは膨張弁１４、冷媒配管５、室内熱交換器１１、四方弁１７を通り圧縮機１２へと戻る。
【００２０】
また、暖房時は、四方弁１７が切り替わり、冷房時とは逆方向に冷媒が流れる。
【００２１】
図２は、本発明の実施の形態における室内機内の温度センサの温度変化を示すグラフである。一般的に室内熱交換器温度は、冷媒が流れるため温度の低下が大きく、吸い込み温度は温度の低下が小さい。しかし、熱交換器温度は室内温度、外気温度に応じて変化幅が大きく、また運転開始後から低圧が落ちることで温度が低下しやすい。また、冷媒に過剰に反応するために判定までに時間が必要になるので、熱交換器温度よりも吸い込み温度の温度変化により、短時間に精度よく判定することができる。
【００２２】
そして、接続判定する方法として、一般的に室内機を１台ずつ判定する。Ａ室内機１から判定する場合は、膨張弁１４を閉じてＡ室内機１にのみ冷媒を流し、室内吸い込み温度センサ７が検出する温度の初期値と、所定時間後の室内吸い込み温度センサ７が検出する温度の所定値との温度差（｜初期値−所定値｜）が一定値Ｅ以上になれば、冷媒が正しく流れていると判定する。しかし、この温度差が一定値Ｅ未満であれば、冷媒が正しく流れていないと判定する。
【００２３】
そして、その後、Ｂ室内機２についても、膨張弁１３を閉じてＢ室内機２にのみ冷媒を流し、吸い込み温度センサ９が検出する温度の初期値と、所定時間後の室内吸い込み温度センサ９が検出する温度の所定値との温度差（｜初期値−所定値｜）により、Ａ室内機１と同様に冷媒の流れを判定する。
【００２４】
なお、より精度を上げるために、温度差を１〜ｎ回まで積算して判定を行う。室内機に冷媒を流す時に室内送風がショートサーキットするようにすることにより、短時間に精度良く判定することができる。
【００２５】
図３は、本発明の実施の形態における室外機内の温度センサの温度変化を示すグラフである。室外機の液管温度センサ１５、１６、およびガス管温度センサ１８、１９を使うことにより、室外機のみでも誤配管を判定することができる。
【００２６】
Ａ室内機１から判定する場合は、膨張弁１４を閉じてＡ室内機１にのみ冷媒を流し、初期値（液管温度センサ１５が検出する温度とガス管温度センサ１８が検出する温度から算出）と所定値（所定時間後の、液管温度センサ１５が検出する温度とガス管温度センサ１８が検出する温度から算出）との温度差（｜初期値−所定値｜）が一定値Ｅ以上になれば、冷媒が正しく流れていると判定する。しかし、この温度差が一定値Ｅ未満であれば、冷媒が正しく流れていないと判定する。
【００２７】
Ｂ室内機２についても、膨張弁１３を閉じてＢ室内機２にのみ冷媒を流し、初期値（液管温度センサ１６が検出する温度とガス管温度センサ１９が検出する温度から算出）と所定値（所定時間後の、液管温度センサ１６が検出する温度とガス管温度センサ１９が検出する温度から算出）との温度差（｜初期値−所定値｜）により、Ａ室内機１と同様に冷媒の流れを判定する。そして、より精度を上げるために、温度差を１〜ｎ回まで積算して判定を行う。
【００２８】
なお、初期値、所定値および温度差は以下の計算式で算出する。
【００２９】
初期値＝Ａ×液管温度＋Ｂ×ガス管温度
所定値＝Ｃ×液管温度＋Ｄ×ガス管温度
そして、所定値は精度を上げるために積算を行う。
【００３０】
温度差＝｜初期値−（所定値１＋所定値２＋・・・所定値ｎ）／ｎ｜
温度差が大きければ、冷媒が各々の室内機の熱交換器に流れていることを示している。初期値、所定値は、係数値Ａ、Ｂ、Ｃ、Ｄを変化させることにより、より正確に判定を行うことができる。
【００３１】
これらの判定制御を据え付け工事後に行い、冷媒配管が正しく取り付けられているかどうかの判定を行うことができる。
【産業上の利用可能性】
【００３２】
以上のように、本発明にかかるマルチ形空気調和装置は、冷媒配管が正しく取り付けられているかどうかを短時間に精度良く判定することができ、２室以上のマルチ形空気調和装置の用途にも適用できる。
【符号の説明】
【００３３】
１  Ａ室内機
２  Ｂ室内機
３  室外機
４  冷媒配管
５  冷媒配管
６  室内熱交換器温度センサ
７  吸い込み温度センサ
８  室内熱交換器温度センサ
９  吸い込み温度センサ
１０  室内熱交換器
１１  室内熱交換器
１２  圧縮機
１３  膨張弁
１４  膨張弁
１５  液管温度センサ
１６  液管温度センサ
１７  四方弁
１８  ガス管温度センサ
１９  ガス管温度センサ
【図１】
2014074533.tif 000003
【図２】
2014074533.tif 000004
【図３】
2014074533.tif 000005